(57)【要約】【課題】機構を簡素化するとともに胴の剛性を低下させることなく、ブランケット又は刷版をより確実に固定できる固定装置を提供すること。【解決手段】輪転機において胴２０に巻き付けたブランケット１０又は刷版を固定するブランケット又は刷版の固定装置であって、胴２０に形成され、ブランケット又は刷版のくわえ側１１ａが引っ掛けられるとともに、くわえ尻側１１ｂが挿入される拘束溝２１と、  胴軸方向に沿って拘束溝２１に臨むように配置され、外方に突出する偏心部３１を有する拘束棒３０とを備え、拘束棒３０が、その中心軸周りに回転可能である。【選択図】図１
0003153814.tif 000002
【実用新案登録請求の範囲】
【請求項１】
輪転機において胴に巻き付けたブランケット又は刷版を固定するブランケット又は刷版の固定装置であって、
前記胴に形成され、ブランケット又は刷版のくわえ側が引っ掛けられるとともに、くわえ尻側が挿入される拘束溝と、
胴軸方向に沿って前記拘束溝に臨むように配置され、前記拘束溝側に突出する偏心部を有する拘束棒とを備え、
前記拘束棒が、その中心軸周りに回転可能であるブランケット又は刷版の固定装置。
【請求項２】
前記偏心部が、前記拘束棒の軸線方向に沿って連続して、又は等間隔で複数設けられている請求項１に記載のブランケット又は刷版の固定装置。
【請求項３】
前記拘束棒の回転に伴い前記偏心部が拘束溝側に突出するロック位置において、前記拘束棒を前記ロック位置に拘束するロック部材を備える請求項１又は２に記載のブランケット又は刷版の固定装置。
【請求項４】
前記ロック部材が、先端部材が基端部材に対して進退可能であるとともに前記先端部材が弾性体によって突出する方向に付勢されている弾性棒を備え、
前記弾性棒は、その軸線が前記拘束棒の中心軸と直交するように配置され、
前記弾性棒の先端部材は、前記拘束棒の側面部に回転可能に軸支にされ、
前記弾性棒の基端部材は、前記拘束棒の中心軸が位置する水平面上で回転可能に軸支され、
前記ロック位置において、前記弾性棒の先端部材の軸支部が前記拘束棒の中心軸が位置する水平面よりも上方又は下方に位置する請求項３に記載のブランケット又は刷版の固定装置。
【請求項５】
前記ロック部材がラチェット機構を備える請求項３に記載のブランケット又は刷版の固定装置。
【考案の詳細な説明】
【技術分野】
【０００１】
本考案は、輪転機において胴に巻き付けたブランケット又は刷版を固定するブランケット又は刷版の固定装置に関する。
【背景技術】
【０００２】
新聞などを印刷する輪転機においては、ブランケット胴に巻き付けたブランケットが、回転しながら版胴に巻き付けた刷版から転写されたインキを走行紙に転写することによって印刷を行っている。
【０００３】
従来、ブランケットや刷版をブランケット胴や版胴に巻き付けて固定する方式として、ブランケット胴や版胴に拘束溝を形成し、その拘束溝にブランケットや刷版のくわえ側を引っ掛けるとともに、くわえ尻側を固定する方式が知られている。そして、その固定を確実にするための固定装置が特許文献１に開示されている。この特許文献１の固定装置は、ブランケットのくわえ側（先行端）及びくわえ尻側（後行端）を挿入した拘束溝（挿入溝）に圧入体を圧入することで、ブランケットのくわえ側及びくわえ尻側を拘束溝の壁面に押し付けて固定するものである。
【０００４】
しかし、圧入体を圧入するだけでは、ブランケットや刷版の固定は不十分であり、とくにブランケット胴や版胴をより高速で回転させる印刷条件では、ブランケットや刷版が緩んで印刷不良が発生することがあった。
【先行技術文献】
【特許文献】
【０００５】
【特許文献１】特開２００２−３２６３４１号公報
【考案の概要】
【考案が解決しようとする課題】
【０００６】
本考案が解決しようとする課題は、機構を簡素化するとともに胴の剛性を低下させることなく、ブランケット又は刷版をより確実に固定できる固定装置を提供することにある。
【課題を解決するための手段】
【０００７】
本考案の固定装置は、輪転機において胴に巻き付けたブランケット又は刷版を固定するブランケット又は刷版の固定装置であって、前記胴に形成され、ブランケット又は刷版のくわえ側が引っ掛けられるとともに、くわえ尻側が挿入される拘束溝と、胴軸方向に沿って前記拘束溝に臨むように配置され、前記拘束溝側に突出する偏心部を有する拘束棒とを備え、前記拘束棒が、その中心軸周りに回転可能であることを特徴とするものである。
【０００８】
なお、本考案において、「胴」とはブランケット胴及び版胴を総称するものである。
【考案の効果】
【０００９】
本考案によれば、拘束棒を回転させることで拘束棒の偏心部が拘束溝側に突出し、その結果、拘束溝に挿入されたくわえ尻側が押圧されてロックされるので、機構を簡素化するとともに胴の剛性を低下させることなく、ブランケット又は刷版をより確実に固定できる。
【図面の簡単な説明】
【００１０】
【図１】本考案の実施例を示す断面図である。
【図２】図１の実施例における拘束棒とロック部材の関係を示す図で、（ａ）は平面図、（ｂ）は側面図である。
【図３】ロック部材の他の例を示す図で、（ａ）は平面図、（ｂ）は側面図である。
【考案を実施するための形態】
【００１１】
以下、図面に示す実施例に基づき本考案の実施の形態を説明する。
【００１２】
図１は、本考案の実施例を示す断面図である。この実施例の固定装置はブランケット１０をブランケット胴２０に固定するものである。このブランケット胴２０には、２頁幅のブランケット１０が１枚だけ巻き付けられる。
【００１３】
ブランケット１０は、金属板１１の一面に、その両端部（くわえ側１１ａ及びくわえ尻側１１ｂ）を除いてゴム状のブランケットシート１２を被覆した、いわゆるメタルブランケットであり、そのくわえ側１１ａをブランケット胴２０に形成した拘束溝２１の壁面に引っ掛け、くわえ尻側１１ｂを拘束溝２１内に挿入することで、ブランケット胴２０に巻き付けられる。
【００１４】
拘束棒３０が、拘束溝２１の胴軸方向全長にわたり拘束溝２１に臨むように配置されている。拘束棒３０は、図２（ａ）に示すように、外方に突出する偏心部３１を有する。本実施例では、偏心部３１は拘束棒３０の軸線方向に沿って等間隔で４箇所に設けられている。なお、本考案において偏心部３１の個数は限定されず、また、偏心部は拘束棒の軸線方向に連続して設けてもよい。
【００１５】
拘束棒３０は、その中心軸３２周りに回転可能にブランケット胴２０に装着されている。そして、拘束棒３０を回転させるため、拘束棒３０の一端に操作部３３が設けられている。操作部３３は、ブランケット胴２０の操作側から操作可能な位置に設けられ、操作側から六角レンチ等の操作具を操作部３３に嵌め込んで回転させることにより、拘束棒３０が回転する。
【００１６】
このような構成において、ブランケット１０をブランケット胴２０に巻き付けて固定するには、まず、拘束棒３０の偏心部３１が拘束溝２１側に突出しないロック解除位置としておき、ブランケット１０のくわえ側１１ａを拘束溝２１の壁面に引っ掛け、次いでブランケット胴２０を回転させてくわえ尻側１１ｂを拘束溝２１に挿入する。その後、拘束棒３０を回転させて偏心部３１が拘束溝２１側に突出するロック位置にする。そうすると、図１に示すように、偏心部３１によってくわえ側１１ａ及びくわえ尻側１１ｂが押圧されてロックされ、ブランケット１０がブランケット胴２０に確実に固定される。
【００１７】
本実施例は、上述の基本構成に加え、図２に示すように、拘束棒３０をロック位置に拘束するロック部材を備える。
【００１８】
図２に示すロック部材は、先端部材４１が基端部材４２に対して進退可能であるとともにこの先端部材４１が弾性体（バネ）４３によって突出する方向に付勢されている弾性棒４０からなる。弾性棒４０は、その軸線が拘束棒３０の中心軸３２と直交するように配置されている。また、先端部材４１は、拘束棒３０の側面部に設けられた受け板３４に回転可能に軸支され、基端部材４２は、拘束棒３０の中心軸３２が位置する水平面上で回転可能に軸支されている。そして、拘束棒３０の偏心部３１が拘束溝２１側に突出するロック位置では、図２（ｂ）に破線で示すように、先端部材４１の軸支部４１ａが拘束棒３０の中心軸３２が位置する水平面よりも上方に位置するように構成されている。また、拘束棒３０の偏心部３１が拘束溝２１側に突出しないロック解除位置では、図２（ｂ）に実線で示すように、先端部材４１の軸支部４１ａが拘束棒３０の中心軸３２が位置する水平面よりも下方に位置するように構成されている。
【００１９】
このようにロック位置において先端部材４１の軸支部４１ａが拘束棒３０の中心軸３２が位置する水平面よりも上方に位置するようにすれば、先端部材４１がロック解除位置に移行するにあたっての抵抗となり、拘束棒３０はロック位置に拘束される。なお、ロック解除位置にするには、拘束棒３０を強制的に回転（図２（ｂ）では時計回りに回転）させる。このとき、回転の当初には先端部材４１を後退させる必要があるので、相当の力が必要である。言い換えれば、相当の力を作用させなければ、ロック位置からロック解除位置には移行しないので、一旦ロック位置にすれば、輪転機の運転中にロック解除位置に移行することはない。
【００２０】
なお、図２の例では、ロック位置において先端部材４１の軸支部４１ａが拘束棒３０の中心軸３２が位置する水平面よりも上方に位置し、ロック解除位置において先端部材４１の軸支部４１ａが拘束棒３０の中心軸３２が位置する水平面よりも下方に位置するようにしたが、拘束棒３０を回転させる方向と偏心部３１の位置関係によっては図２の例とは逆に、ロック位置において先端部材４１の軸支部４１ａが拘束棒３０の中心軸３２が位置する水平面よりも下方に位置し、ロック解除位置において先端部材４１の軸支部４１ａが拘束棒３０の中心軸３２が位置する水平面よりも上方に位置するようにすることもできる。
【００２１】
図３は、ロック部材の他の例を示す。同図に示すロック部材５０は、つめ５１とつめ車５２とからなるラチェット機構を備えている。つめ５１は架台５３に回動可能に装着され、つめ車５２は拘束棒３０の一端に固定されている。そして、つめ５１がつめ車５２に噛み合っている状態では、つめ車５２及び拘束棒３０は、時計回り方向にのみ回転可能である。本実施例では先に説明したとおり、拘束棒３０をロック位置からロック解除位置に移行させるには、拘束棒３０を時計回りに回転させる必要があるので、つめ５１がつめ車５２に噛み合っている状態では拘束棒３０をロック解除位置に移行させることはできず、拘束棒３０はロック位置に拘束される。なお、つめ５１とつめ車５２の噛み合いを解除すると、拘束棒３０を時計回りに回転させることができるので、ロック解除位置に移行させることができる。
【００２２】
以上の実施例では、２頁幅のブランケットをブランケット胴に１枚だけ巻き付ける例を示したが、本考案は、２頁幅のブランケットをブランケット胴の軸方向に沿って２枚巻き付ける場合にも適用可能である。この場合、各々の拘束溝は１８０°位相をずらして形成されていることから、それぞれの拘束溝に対応させて個別に拘束棒及びロック部材を配置する。
【００２３】
また、以上の実施例では、ブランケットを固定する場合について説明したが、刷版も同様に固定できることは自明である。
【符号の説明】
【００２４】
１０  ブランケット
１１  金属板
１１ａ  くわえ側
１１ｂ  くわえ尻側
１２  ブランケットシート
２０  ブランケット胴
２１  拘束溝
３０  拘束棒
３１  偏心部
３２  中心軸
３３  操作部
３４  受け板
４０  弾性棒（ロック部材）
４１  先端部材
４１ａ  軸支部
４２  基端部材
４３  弾性体（バネ）
５０  ロック部材
５１  つめ
５２  つめ車
５３  架台
【図１】
0003153814.tif 000003
【図２】
0003153814.tif 000004
【図３】
0003153814.tif 000005